(57)【要約】【課題】  ディスプレイに表示する背景画像を効率的に作成することのできる技術を提供する。【解決手段】  本発明の情報端末装置１０において、読出部３４は、記憶装置（２０、５０）から、表示する対象となる画像データを読み出す。ディスプレイ１２は、読み出された画像データをもとに、画像を表示する。画像変換部４４は、表示された画像に対して、画像変換を施す。背景画像取得部６０は、画像変換部４４により画像変換されてディスプレイ１２に表示された画像の画像データを、ディスプレイ１２の背景に貼り付ける背景画像データとして取得する。【選択図】  図２
2007025862.tif 000002
【特許請求の範囲】
【請求項１】
記憶装置から、表示する対象となる画像データを読み出す読出部と、
読み出された画像データをもとに、画像を表示する表示部と、
表示された画像に対して、画像変換を施す画像変換部と、
前記画像変換部により画像変換されて前記表示部に表示された画像の画像データを、前記表示部の背景に貼り付ける背景画像データとして取得する背景画像取得部と、
を備えることを特徴とする画像処理装置。
【請求項２】
ユーザからの指示を受け付ける受付部をさらに備え、
前記画像変換部は、前記受付部において受け付けた指示をもとに、表示された画像に対して、拡大 、縮小 、回転、および移動などの画像変換を施すことを特徴とする請求項１に記載の画像処理装置。
【請求項３】
コンピュータに、
記憶装置から、表示する対象となる画像データを読み出させる機能と、
読み出された画像データをもとに、表示部に画像を表示させる機能と、
表示された画像に対して、画像変換を施させる機能と、
画像変換されて前記表示部に表示された画像の画像データを、前記表示部の背景に貼り付ける背景画像データとして取得させる機能と、
を実行させるためのプログラム。
【請求項４】
請求項３に記載のプログラムを記録したコンピュータ読み取り可能な記録媒体。
【発明の詳細な説明】
【技術分野】
【０００１】
本発明は、画像データを処理する技術に関し、特にディスプレイの背景画像を生成する技術に関する。
【背景技術】
【０００２】
情報端末装置の小型化および軽量化が実現されたことにより、情報端末を持ち運ぶことが一般的になっている。ＰＤＡ（Personal Digital Assistance）は、携帯型情報端末装置の代表格であるが、近年市販される携帯型のゲーム装置も、ＣＰＵの高速化およびメモリの高密度化にともなって多機能化が進み、ＰＤＡの一部の機能をもつまでに至っている。
【発明の開示】
【発明が解決しようとする課題】
【０００３】
デジタルカメラが普及したことで、従来と比較して、ユーザが気軽に写真を撮影する機会が増えている。撮影した写真データの一つの利用形態として、パーソナルコンピュータのデスクトップに、写真データを背景画像（壁紙）として貼り付けることがある。好きな画像を背景画像として利用することで、たまに背景画像を見ることで、一時の安らぎを得られる効果がある。今後は、携帯型の情報端末装置においても、ディスプレイの背景画像に写真データを利用することが一般化すると予想される。
【０００４】
従来より、画像データをディスプレイのサイズに合わせて加工して、背景画像を作成する技術が存在する。画像データがディスプレイサイズよりも大きければ、ディスプレイサイズに合うように画像データを縮小し、一方、画像データがディスプレイサイズよりも小さければ、ディスプレイサイズに合うようにその画像を縦横に複数並べる。
【０００５】
一方で、画像の一部を背景画像として設定する場合には、その画像を編集して新たな画像データを作成し、作成した画像データを背景画像に設定する必要がある。この作業はユーザにとって非常に煩わしい。特に、携帯型の情報端末装置の入力インタフェースは、パーソナルコンピュータの入力インタフェースと比較すると操作性に制約があるため、仮に携帯型情報端末装置が画像編集ソフトをインストールしている場合でも、画像編集作業は非常に手間のかかるものとなる。
【０００６】
そこで本発明は、ディスプレイの背景に貼り付ける背景画像を効率的に作成できる技術を提供することを目的とする。
【課題を解決するための手段】
【０００７】
上記課題を解決するために、本発明のある態様の画像処理装置は、記憶装置から表示する対象となる画像データを読み出す読出部と、読み出された画像データをもとに画像を表示する表示部と、表示された画像に対して画像変換を施す画像変換部と、画像変換部により画像変換されて表示部に表示された画像の画像データを、表示部の背景に貼り付ける背景画像データとして取得する背景画像取得部とを備える。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によると、ディスプレイの背景に貼り付ける背景画像を効率的に作成する技術を提供することができる。
【発明を実施するための最良の形態】
【００１０】
本実施例における画像処理装置は、一般に壁紙と呼ばれる背景画像を効率的に作成する。この装置は、例えば写真の画像データをディスプレイに表示し、表示された画像の拡大、縮小、回転および移動などの操作を可能とするビューアとしての機能を有して構成される。
【００１１】
図１は、情報端末装置の外観を示す。情報端末装置１０は携帯型の電子機器であり、写真の画像データを表示することができる。本実施例において、情報端末装置１０は、画像処理を行う画像処理装置として機能する。表示する対象となる画像データは、情報端末装置１０に着脱できる外部記憶装置から読み出されてもよく、内蔵されている内部記憶装置から読み出されてもよい。本実施例における外部記憶装置は、メモリカード２０である。メモリカード２０は、情報端末装置１０に設けられた図示しない駆動装置に装填される。メモリカード２０は、デジタルカメラや携帯電話にも着脱できる小型のメモリカードであり、画像データを格納することができる。そのため、デジタルカメラで撮影してメモリカード２０に保存した画像データを、そのメモリカード２０を情報端末装置１０に装填することで、表示部に表示できる。
【００１２】
情報端末装置１０には、ディスプレイ１２と、十字キー１４、ボタンキー１６、パッド１７、Ｌボタン１８およびＲボタン１９などの入力インタフェースが設けられる。ユーザは情報端末装置１０の左右端を両手で把持し、主に左手の親指で十字キー１４を用いて上下左右の方向を指示し、主に右手の親指でボタンキー１６を用いて各種の操作を指示する。パッド１７は、アナログ的な量を入力するのに利用され、中央の基準位置から全方位に動かすことができる。Ｌボタン１８およびＲボタン１９は、それぞれに対応付けられた処理を実行する際に利用される。ディスプレイ１２は、画像などを表示する表示部であり、液晶パネルなどにより構成される。また、情報端末装置１０には、ＵＳＢポート、赤外線ポート、無線ＬＡＮ通信の機能がさらに搭載されており、これらのポートまたは通信機能を介して他の装置との間で画像データを送受信することもできる。
【００１３】
図２は、情報端末装置の構成を示す機能ブロック図である。情報端末装置１０は、ディスプレイ１２、入力インタフェース３０、受付部３２、読出部３４、メニュー制御部３６、表示処理部４０、格納部５０および背景画像取得部６０を備える。表示処理部４０は、復号処理部４２、画像変換部４４、出力バッファ部４６および合成処理部４８を有する。入力インタフェース３０は、十字キー１４、ボタンキー１６、パッド１７、Ｌボタン１８、Ｒボタン１９などの操作手段である。格納部５０は、情報端末装置１０に内蔵された記憶装置であり、メモリカード２０は、情報端末装置１０に着脱可能な外部記憶装置である。情報端末装置１０においては、メモリカード２０および格納部５０が記憶装置として利用される。なお、格納部５０は、複数種類の記憶装置から構成されてもよい。
【００１４】
本実施例における情報端末装置１０の背景画像作成機能は、ＣＰＵ、メモリ、メモリにロードされたプログラムなどによって実現され、ここではそれらの連携によって実現される構成を描いている。プログラムは、情報端末装置１０に内蔵されていてもよく、また記録媒体に格納された形態で外部から供給されるものであってもよい。したがってこれらの機能ブロックがハードウエアのみ、ソフトウエアのみ、またはそれらの組合せによっていろいろな形で実現できることは、当業者に理解されるところである。
【００１５】
入力インタフェース３０は、ユーザの操作を介してメニュー操作や、画像表示、画像変換などに関する指示を取得する。ユーザは、入力インタフェース３０を利用して、ディスプレイ１２に表示される操作画面でカーソルを動かし、所望の位置にカーソルを配置して決定ボタンを押下することで、指示内容を決定する。受付部３２は、ユーザからの指示を受け付け、指示内容を読出部３４、メニュー制御部３６、表示処理部４０または背景画像取得部６０の各構成に伝達する。
【００１６】
メニュー制御部３６は、受付部３２において受け付けたメニュー操作指示をもとに、情報端末装置１０におけるメニュー画面の表示を制御する。メニュー画面は階層的に構成され、ユーザはメニュー画面にしたがって、画像データを選択する。
【００１７】
図３（ａ）は、第１階層のメニュー画面を示す。メニュー画面にはアイコンが表示され、ユーザは、入力インタフェース３０を用いてアイコンを選択する。メモリカード２０が情報端末装置１０に装着されている場合、メニュー画面にはメモリカードのアイコンが表示される。メモリカード２０が装着されていない場合には、メモリカード２０のアイコンは表示されない。
【００１８】
読出部３４は、格納部５０より第１階層のメニュー画面データを読み出し、表示処理部４０に供給する。合成処理部４８は、読み出された第１階層のメニュー画面の画像データを出力バッファ部４６に展開する。出力バッファ部４６は、テクスチャバッファメモリとして構成され、ディスプレイ１２に供給するデータが展開される。出力バッファ部４６は、展開された画像データをディスプレイ１２のフレームバッファメモリに供給し、ディスプレイ１２にて第１階層のメニュー画面が表示される。
【００１９】
受付部３２が、ユーザから入力インタフェース３０の操作を受け付けると、メニュー制御部３６が、その操作内容を表示処理部４０に通知する。表示処理部４０において、合成処理部４８がユーザの操作内容を反映した画像データを生成する。例えば合成処理部４８は、ユーザによりカーソルを合わされたアイコンを大きくしたり、または色を変化させた画像データを生成する。ユーザからの入力インタフェース３０の操作内容は、合成処理部４８により処理されて、メニュー画面の表示に逐次反映される。
【００２０】
図３（ｂ）は、第２階層のメニュー画面を示す。ここでは、メモリカードのアイコンが選択されて、メモリカード２０に記録されている複数種類のデータのアイコンが縦に表示される。読出部３４は、格納部５０より第２階層のメニュー画面データを読み出し、表示処理部４０に供給する。合成処理部４８は、読み出された第２階層のメニュー画面の画像データを出力バッファ部４６に展開する。出力バッファ部４６は、展開された画像データをディスプレイ１２に供給し、ディスプレイ１２にて第２階層のメニュー画面が表示される。このとき、メニュー制御部３６が、カメラ画像の枚数をメモリカード２０から読み出すように、読出部３４に読出指示を供給する。読み出されたカメラ画像の枚数は、メニュー画面に表示される。
【００２１】
図３（ｃ）は、第３階層のメニュー画面を示す。ここでは、カメラ画像のアイコンが選択されて、メモリカード２０に記録されているカメラ画像の数枚分のサムネイルが表示される。ユーザが十字キー１４の上または下方向キーを押下すると、サムネイルが切り替わって、新しい画像のサムネイルが表示される。サムネイルの右側には、サムネイル画像に対する処理のリストが表示される。ここで、ユーザが「表示」を選択すると、受付部３２が、表示する対象となる画像データ、すなわち表示指示がなされたサムネイルのオリジナル画像の画像データを特定する情報を読出部３４に送り、読出部３４は、その画像データをメモリカード２０から読み出す。
【００２２】
図４（ａ）は、ディスプレイに表示される画像の例を示す。読出部３４は、読み出した画像データを表示処理部４０に供給する。一般に、画像データは圧縮処理および／または暗号化処理をされてメモリカード２０に格納されているため、復号処理部４２が、符号化された画像データを復号する。復号処理部４２は、復号した画像データを合成処理部４８に送り、合成処理部４８は、この画像データを出力バッファ部４６に展開する。本実施例のディスプレイ１２の画面サイズは、例えば横４８０ドット×縦２７２ドットであり、オリジナルの画像データが画面サイズよりも大きければ、全体がディスプレイ１２に表示されるように、画像データに縮小処理が施される。このとき、画像データの横方向または縦方向の少なくとも一方のドット数が画面サイズの横方向または縦方向のドット数の最大値と等しくなるように、画像データが縮小されることが好ましい。図示の例では、オリジナルの画像データの横縦比がディスプレイ１２の横縦比と同じ４８０：２７２であったため、画像の全体がディスプレイ１２の全面に表示される。
【００２３】
出力バッファ部４６は、ディスプレイ１２のフレームバッファメモリと同じ大きさのデータサイズを有して構成されてもよい。本実施例では、出力バッファ部４６が、横４８０ドット×縦２７２ドットの画面サイズ用のデータサイズを有して構成される。したがって、オリジナル画像データが拡大または縮小される場合、出力バッファ部４６には、拡大または縮小された画像データが展開されて、出力バッファ部４６上のデータがディスプレイ１２のフレームバッファメモリに供給されることになる。
【００２４】
本実施例の情報端末装置１０では、ユーザが、表示された画像に対して、画像変換を施すことができる。この処理は、ユーザからの画像変換指示に基づいて、画像変換部４４により実行される。具体的に、画像変換部４４は、ユーザからの指示をもとに、表示された画像に対して、拡大、縮小、回転、移動などの画像変換を施すことができる。
【００２５】
ユーザが、図４（ａ）に示す表示画面で所定の表示ボタンを押下すると、画像変換処理のグラフィカルユーザインタフェースである操作パネル７０が表示される。読出部３４は、格納部５０から操作パネル７０の表示内容を読み出し、表示処理部４０に供給する。合成処理部４８は、ディスプレイ１２の所定位置に操作パネル７０を配置して、表示画像と操作パネル７０とを合成処理する。図４（ｂ）は、ディスプレイ１２の一部に操作パネルが表示された状態を示す。操作パネル７０には、画像に対する画像変換の処理内容を表すアイコンが配列されて表示される。図４（ｃ）は、操作パネルに表示されたアイコンの例を示す。
【００２６】
一段目に示される各アイコンには、画像変換処理が対応付けられており、ユーザがアイコンを選択することで、それぞれの画像変換処理が実行される。
「拡大・縮小の解除」アイコン：拡大／縮小している画像の表示サイズを元に戻す。
「縮小」アイコン：画像を縮小する。
「拡大」アイコン：画像を拡大する。
「回転（左）」アイコン：画像を左回りに９０度回転する。
「回転（右）」アイコン：画像を右回りに９０度回転する。
「上／下／左／右」アイコン：拡大／縮小しているときや表示モードをズームにしているときに、画像を動かして隠れている部分を表示する。なお、表示モードにはノーマルモードとズームモードが用意され、いずれかの表示モードがユーザにより選択される。ノーマルモードでは、画像データの縦横比は変えず画面サイズに合わせて画像が表示され、ズームモードでは、画面データの縦横比は変えず、上下または左右をカットして画面いっぱいに画像が表示される。
【００２７】
二段目に示される各アイコンは、表示画像を変えるために利用される。
「前画像表示」アイコン：前の画像を表示する。
「次画像表示」アイコン：次の画像を表示する。
「スライドショー」アイコン：画像を１枚ずつ自動的に表示する。
【００２８】
なお、画像変換処理は、操作パネル７０の一段目に示されたアイコンを選択することで指示されてもよいが、操作パネル７０を利用しなくても指示することができる。情報端末装置１０においては、画像変換処理のそれぞれが、十字キー１４、ボタンキー１６、パッド１７、Ｌボタン１８、Ｒボタン１９の単独操作、または組み合わせ操作に対応付けられている。そのため、ユーザは、これらの入力インタフェース３０を操作することで、画像変換の処理内容を指示することができる。
【００２９】
ユーザが入力インタフェース３０を操作して画像変換の処理内容を指示すると、受付部３２が画像変換指示を受け付け、表示処理部４０に供給する。画像変換部４４は、供給された画像変換指示に基づいて、ディスプレイ１２に表示されている画像に対して画像変換を施す。
【００３０】
図５（ａ）は、図４（ａ）に示す画像を拡大処理した画面を示す。拡大処理では、中心点を固定して、縦横方向に拡大する。
図５（ｂ）は、図５（ａ）に示す画像を移動した画面を示す。移動処理は、拡大／縮小しているとき、または表示モードをズームモードに設定したときに実行できる。
図５（ｃ）は、図４（ａ）に示す画像を左回りに９０度回転した画面を示す。回転処理では、画像の中心点を保持したまま所定の角度だけ画像を回転させる。図４（ａ）のオリジナル画像は横長の画像であるため、左周りに９０度回転させると、中央の画像部分７１の左右両側に余白部分７２が生じる。結果として、画像は縮小されて表示され、余白部分７２は単一色で表示される。
【００３１】
以上のように、画像変換部４４は、ユーザからの指示に基づいて、表示画像に画像変換を施す。ユーザは、変換処理されてディスプレイ１２に表示される画像を見ながら、背景画像（壁紙）として設定したい表示画像を探していく。画像を変換処理していく過程で、気に入った構図をもつ画像がディスプレイ１２に表示されると、ユーザは、ボタンキー１６における所定の決定ボタンを押す。例えば、図５（ｂ）に示す画像を背景画像として設定する場合を説明する。
【００３２】
図６（ａ）は、表示されている画像を壁紙にするか問い合わせる画面を示す。図５（ｂ）に示す画像をディスプレイ１２に表示した状態で、ユーザが所定の決定ボタンを押下すると、読出部３４が格納部５０からコメントを読み出し、合成処理部４８が、表示画像にコメントを重ねた画像データを作成する。ユーザは、入力インタフェース３０を用いて、「はい」または「いいえ」を選択し、決定ボタン（図示の例では「○ボタン」）を押下する。このとき「はい」を選択して決定すると、表示画像のデータを、背景画像データとして保存する。
図６（ｂ）は、背景画像データを保存中の画面を示し、図６（ｃ）は、背景画像データの保存終了時の画面を示す。
【００３３】
図６（ａ）に示す問い合わせ画面で、ユーザが決定ボタン（図示の例では「○ボタン」）を押下すると、受付部３２が、その押下操作を背景画像取得指示として受け付ける。受付部３２は、この背景画像取得指示を背景画像取得部６０に通知する。背景画像取得部６０は、ディスプレイ１２に表示された画像の画像データを、ディスプレイ１２の背景に貼り付ける背景画像データとして取得する。この表示画像は、画像変換部４４により画像変換されたものである。取得した背景画像データは、格納部５０に保存される。
【００３４】
背景画像取得部６０は、背景画像データを出力バッファ部４６に展開されたデータから取得してもよい。出力バッファ部４６には、表示画像データと、表示画像に上書きするコメントデータとが一時記憶されているが、背景画像取得部６０は、表示画像データのみを抽出して背景画像データを取得してもよい。また、背景画像取得部６０は、オリジナルの画像データから、ディスプレイ１２に表示されているデータを抽出して、背景画像データを取得してもよい。この場合、背景画像取得部６０は、オリジナル画像から背景画像として切り出す領域を特定する切出情報を取得し、オリジナル画像データと切出情報との組合わせを背景画像データとして取得してもよい。なお、背景画像データは、所定の圧縮処理を施されて、格納部５０に保存されることが好ましい。
【００３５】
このように、画像変換部４４により画像変換された表示画像を、そのまま背景画像として取得することで、ユーザによる背景画像編集の手間を軽減することができる。従来であれば、ユーザがオリジナルの画像から所望の領域を切り出すなどして、新たな画像を作成し、その画像を背景画像として設定する処理が必要であった。しかしながら、本実施例による背景画像の作成技術によると、画像変換して表示している画像のデータをそのまま背景画像として取得できるため、ユーザにかかる負担を大幅に軽減することができる。
【００３６】
特に、携帯型の情報端末装置１０において本技術を利用する場合には、情報端末装置１０の限られたリソースにもかかわらず、簡易に背景画像を作成することができる。そのため、背景画像の編集のために、コストのかかる画像編集ツールを組み込む必要もなく、大きな利点を有している。
【００３７】
なお、本実施例の情報端末装置１０では、背景画像として保存できる枚数は１枚に制限される。情報端末装置１０が携帯型の電子機器であり、記憶容量を有効に使うためである。そのため、既に背景画像が設定されている状況の下で、新たな背景画像を登録しようとする場合には、図６（ｄ）に示す問い合わせ画面が表示される。この問い合わせ画面で、「いいえ」を選択・決定すると、元の背景画像が継続して有効となり、「はい」を選択・決定すると、元の背景画像を格納部５０から削除して、新たな背景画像を格納部５０に登録する。
【００３８】
図８は、図３（ａ）に示すメニュー画面の背景に、登録した背景画像を貼り付けた画面を示す。本実施例の背景画像作成技術によると、ユーザが、簡易にお気に入りの背景画像を作成することができる。読出部３４が、格納部５０より背景画像データを読み出して表示処理部４０に供給し、合成処理部４８が、背景画像データを出力バッファ部４６に展開し、またメニュー画面を背景画像に上書きすることで、図８に示す画面が生成される。
【００３９】
次に、図５（ｃ）に示す画像を背景画像として設定する場合を説明する。図５（ｃ）において、画像変換された画像は、ディスプレイ１２の全面に表示されておらず、左右両側に余白部分７２が生じており、余白部分７２が単一色の画像で埋められている。背景画像取得部６０が、中央の画像部分７１を背景画像として格納部５０に登録し、合成処理部４８がその背景画像データを出力バッファ部４６に展開する場合には、余白部分を、別の背景画像データで埋める処理を行う。
【００４０】
図７は、表示される背景画像の一例を示す。登録する背景画像は、図５（ｃ）に示す画像部分７１であって、余白部分７２については背景画像として登録しない。合成処理部４８は、背景画像を表示する際、読み出された背景画像データを出力バッファ部４６上に展開し、さらに余白部分については、読み出されたデータとは異なる背景画像データを展開する。このとき、格納部５０から読み出した背景画像データは、常にディスプレイ１２の中央部分に位置するように出力バッファ部４６上に配置される。なお、余白部分に表示する他の背景画像は、中央の背景画像を浮かび上がらせる視覚的効果を演出するものであってよく、図示されるような単一色の画像であってもよい。
【００４１】
また、背景画像取得部６０は、画像部分と余白部分とを合成した一枚の画像を、背景画像として取得してもよい。この場合、背景画像データは、ディスプレイ１２の全面に表示される画像データであり、背景画像は、ディスプレイ１２の全面画像である。また、表示中の画像部分７１（図５（ｃ）参照）は、背景画像においてもそのまま利用されるが、表示中の余白部分７２の色は、背景画像において異なる色の画像に設定されてもよい。
【００４２】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。本実施例において、本発明の技術が携帯型の情報端末装置１０において有効に利用できることを説明したが、例えばデスクトップ型のパーソナルコンピュータなど、据え置き型の情報端末装置においても有効に利用できる。また、実施例では、表示対象となる画像データをメモリカード２０から読み出しているが、格納部５０から読み出すことも可能である。さらに、画像データは静止画像に限らず、動画像であってもよい。動画像の場合には、ユーザからの指示に応じて動画を停止させ、その停止させた画像を、背景画像として登録することも可能である。なお、停止させた画像に対して、画像変換処理を施した後、背景画像を取得することも可能である。
【図面の簡単な説明】
【００４３】
【図１】情報端末装置の外観を示す図である。
【図２】情報端末装置の構成を示す機能ブロック図である。
【図３】（ａ）は、第１階層のメニュー画面を示す図であり、（ｂ）は、第２階層のメニュー画面を示す図であり、（ｃ）は、第３階層のメニュー画面を示す図である。
【図４】（ａ）は、ディスプレイに表示される画像の例を示す図であり、（ｂ）は、ディスプレイの一部に操作パネルが表示された状態を示す図であり、（ｃ）は、操作パネルに表示されたアイコンの例を示す図である。
【図５】（ａ）は、図４（ａ）に示す画像を拡大処理した画面を示す図であり、（ｂ）は、図５（ａ）に示す画像を移動した画面を示す図であり、（ｃ）は、図４（ａ）に示す画像を左回りに９０度回転した画面を示す図である。
【図６】（ａ）は、表示されている画像を壁紙にするか問い合わせる画面を示す図であり、（ｂ）は、背景画像データを保存中の画面を示す図であり、（ｃ）は、背景画像データの保存終了時の画面を示す図であり、（ｄ）は、問い合わせ画面を示す図である。
【図７】表示される背景画像の一例を示す図である。
【図８】図３（ａ）に示すメニュー画面の背景に、登録した背景画像を貼り付けた画面を示す図である。
【符号の説明】
【００４４】
１０・・・情報端末装置、１２・・・ディスプレイ、１４・・・十字キー、１６・・・ボタンキー、１７・・・パッド、１８・・・Ｌボタン、１９・・・Ｒボタン、２０・・・メモリカード、３０・・・入力インタフェース、３２・・・受付部、３４・・・読出部、３６・・・メニュー制御部、４０・・・表示処理部、４２・・・復号処理部、４４・・・画像変換部、４６・・・出力バッファ部、４８・・・合成処理部、５０・・・格納部、６０・・・背景画像取得部、７０・・・操作パネル。
【図１】
2007025862.tif 000003
【図２】
2007025862.tif 000004
【図３】
2007025862.tif 000005
【図４】
2007025862.tif 000006
【図５】
2007025862.tif 000007
【図６】
2007025862.tif 000008
【図７】
2007025862.tif 000009
【図８】
2007025862.tif 000010